(57)【要約】  電子兵器は、ヒト又は動物の標的に骨格筋収縮を引き起こすために、展開用ユニットと共に使用することができる。展開用ユニットは、電子兵器に電気的に連結されている場合、少なくとも２つの電極と、表示器と、標的の骨格筋の収縮を引き起こすことによって標的の活動能力を奪う刺激電流を標的を通して送達できるように電極を展開するための推進部と、を含んでいる。表示器は、電子兵器に、推進部が作動する前の展開用ユニットの第１の属性の表示と、推進部が作動した後の展開用ユニットの第２の属性の表示を示す。別の展開用ユニットは、少なくとも２つの電極と、表示器と、標的の骨格筋の収縮を引き起こすことによって標的の活動能力を奪う刺激電流を標的を通して送達できるように電極に連結されている刺激信号生成器と、を含んでいる。表示器は、電子兵器に、刺激信号生成器が作動する前の展開用ユニットの第１の属性の表示と、刺激信号生成器が作動した後の展開用ユニットの第２の属性の表示を示す。【選択図】図４
2012502240.tif 000002
【特許請求の範囲】
【請求項１】
ヒト又は動物の標的に骨格筋収縮を引き起こすための電子兵器と共に、前記電子兵器に電気的に連結させて、使用するための展開用ユニットであって、
少なくとも２つの電極と、
表示器と、
前記標的の骨格筋の収縮を引き起こすことによって前記標的の活動能力を奪う刺激電流を前記標的を通して供給できるように前記電極を展開するための推進部と、を備えており、
前記表示器は、前記電子兵器に、前記推進部が作動する前の前記展開用ユニットの第１の属性の表示と、前記推進部が作動した後の前記展開用ユニットの第２の属性の表示を示す、展開用ユニット。
【請求項２】
前記表示器の経路は、前記推進部が作動することによって、第２の属性を提供するように開かれる、請求項１に記載の展開用ユニット。
【請求項３】
ヒト又は動物の標的に骨格筋収縮を引き起こすための電子兵器と共に、前記電子兵器に電気的に連結させて、使用するための展開用ユニットにおいて、
少なくとも２つの電極と、
表示器と、
前記標的の骨格筋の収縮を引き起こすことによって前記標的の活動能力を奪う刺激電流を前記標的を通して供給できるように電極に連結されている刺激信号生成器と、を備えており、
前記表示器は、前記電子兵器に、前記刺激信号生成器が作動する前の前記展開用ユニットの第１の属性の表示と、前記刺激信号生成器が作動した後の前記展開用ユニットの第２の属性の表示を示す、展開用ユニット。
【請求項４】
前記表示器は、更に、前記電子兵器に、前記刺激信号生成器が作動した後の前記展開用ユニットの前記第１の属性の表示を示す、請求項３に記載の展開用ユニット。
【請求項５】
前記表示器は、前記刺激信号生成器が作動することによって、前記第２の属性の表示を提供するように変更される、請求項３に記載の展開用ユニット。
【請求項６】
ヒト又は動物の標的に骨格筋収縮を引き起こすための電子兵器と共に、前記電子兵器に電気的に連結させて、使用するための展開用ユニットであって、
少なくとも２つの電極と、
表示器と、
推進部と、
前記電極を備えていて、前記電子兵器及び前記標的と組み合わせて第１の回路を完成させるための第１の経路と、
前記推進部を備えていて、前記第１の回路が、前記標的の骨格筋の収縮を引き起こすことによって前記標的の活動能力を奪う刺激電流を前記標的を通して供給できるように、前記電極を展開するために前記推進部を作動させるための第２の回路を、前記電子兵器と組み合わせて完成させるための第２の経路と、
前記表示器の少なくとも一部分を備えていて、前記電子兵器と組み合わせて第３の回路を完成させるための第３の経路であって、前記表示器の前記部分は、前記電子兵器に、前記第３の回路を介して、前記推進部が作動する前の前記展開用ユニットの第１の属性の表示、及び前記推進部が作動した後の前記展開用ユニットの第２の属性の表示を示す、第３の経路と、を備えている展開用ユニット。
【請求項７】
前記表示器の前記部分は、前記第１の属性に基づく抵抗を備えており、前記抵抗は、前記推進部が作動することによって、第２の属性を提供するように変更される、請求項６に記載の展開用ユニット。
【請求項８】
前記抵抗は、前記推進部の作動によって、開回路状態に向けて増大する、請求項７に記載の展開用ユニット。
【請求項９】
前記第３の経路は、前記推進部を更に備えている、請求項６に記載の展開用ユニット。
【請求項１０】
前記表示器の少なくとも別の部分を備えている第４の経路であって、前記第３の経路と並列である第４の経路を更に備えている、請求項６に記載の展開用ユニット。
【請求項１１】
前記第２の経路の電流は、前記推進部が動作不能であることを示す、請求項６に記載の展開用ユニット。
【請求項１２】
前記第２の経路と前記第３の経路は、共通の回路構成要素を更に備えている、請求項６に記載の展開用ユニット。
【請求項１３】
前記第１の属性は、前記展開用ユニットの型式を記述している、請求項１から１２の何れかに記載の展開用ユニット。
【請求項１４】
前記第１の属性は、前記展開用ユニットの識別情報を記述している、請求項１から１２の何れかに記載の展開用ユニット。
【請求項１５】
前記表示器は、更に、前記推進部が作動した後に、前記展開用ユニットの型式の表示を、前記電子兵器に表示する、請求項１、２、又は６から１２の何れかに記載の展開用ユニット。
【請求項１６】
前記第２の属性は、前記展開用ユニットの使用済を記述している、請求項１から１２の何れかに記載の展開用ユニット。
【請求項１７】
前記電極は、前記展開用ユニットにワイヤ連結されている、請求項１から１２の何れかに記載の展開用ユニット。
【請求項１８】
前記展開用ユニットは、前記電極を備えた射出体を更に備えており、
前記推進部を作動させることで前記射出体が推し出される、請求項１、２、又は６から１２の何れかに記載の展開用ユニット。
【請求項１９】
前記射出体は、刺激信号生成器を更に備えている、請求項１８に記載の展開用ユニット。
【請求項２０】
前記表示器は、前記推進部が作動することによって、前記第２の属性を提供するように変更される、請求項１、２、又は６から１２の何れかに記載の展開用ユニット。
【請求項２１】
前記表示器は、並列に連結されている少なくとも２つの抵抗器を備えている、請求項１、２、又は６から１２の何れかに記載の展開用ユニット。
【請求項２２】
電子兵器のための展開用ユニットであって、前記電子兵器は、第１の電流と第２の電流を前記展開用ユニットに提供し、前記電子兵器は、前記展開用ユニットを介して、骨格筋の収縮を引き起こすことにより標的の活動能力を奪う第３の電流を前記標的を通して供給するために使われている、展開用ユニットにおいて、
前記展開用ユニットを記述する属性を有する第１の経路であって、前記第１の電流に反応する前記属性の表示を提供する第１の経路と、
前記展開用ユニットの発射機能を実行するために前記第２の電流を受け入れる第２の経路と、を備えており、前記発射機能が実行された後、前記第１の経路の属性は変更され、前記展開用ユニットは前記第３の電流を前記標的を通して供給する、展開用ユニット。
【請求項２３】
前記属性は、変更される前は、前記展開用ユニットの型式を記述している、請求項２２に記載の展開用ユニット。
【請求項２４】
前記属性は、変更された後は、前記展開用ユニットの使用済を記述している、請求項２２に記載の展開用ユニット。
【請求項２５】
前記第１の電流は、前記推進部が動作不能であることの表示を提供する、請求項２２に記載の展開用ユニット。
【請求項２６】
前記第３の電流を通電するためのワイヤ連結式電極を更に備えている、請求項２２に記載の展開用ユニット。
【請求項２７】
前記展開用ユニットは電極を更に備えており、
前記電極は、前記第２の電流に反応して、前記第３の電流を供給するために前記標的に向けて推し出される、請求項２２に記載の展開用ユニット。
【請求項２８】
前記第２の経路は、前記展開用ユニットを記述する第２の属性を更に備えている、請求項２２から２７の何れかに記載の展開用ユニット。
【請求項２９】
前記第１の経路は、前記第２の経路と並列である、請求項６から１２又は２２から２７の何れかに記載の展開用ユニット。
【請求項３０】
前記第１の経路と前記第２の経路は、ノードを共有している、請求項６から１２又は２２から２７の何れかに記載の展開用ユニット。
【請求項３１】
前記第１の経路と前記第２の経路は、構成要素を共有している、請求項６から１２又は２２から２７の何れかに記載の展開用ユニット。
【発明の詳細な説明】
【技術分野】
【０００１】
本発明の実施形態は、電子兵器のためのシステム及び方法に関する。
【背景技術】
【０００２】
従来の電子兵器は、カートリッジを受け入れるインターフェースを有している。カートリッジは、兵器により起動されると、電極を標的に向けて展開する。使用済みのカートリッジは手で取り外され、別のカートリッジと取り換えられて、同一又は異なる標的相手にまた１回起動される。従来の電子兵器とこのインターフェースを介して互換可能に作動させる幾つかの従来のカートリッジ型式であって、それぞれに異なる射程（例えば、電極用ワイヤ連結紐の長さ）を有するものが開発されている。従来の電子兵器のユーザーは、電子兵器の幾つかの制限に対応できるように訓練される。例えば、ユーザーは、電子兵器がインターフェースに現在装着されているカートリッジの型式を認識しないので、自身で認識しなければならない。更に、従来の電子兵器の制御機能は、カートリッジの状態（例えば、準備完了態勢又は既に発砲済み）に反応しない。
【発明の概要】
【発明が解決しようとする課題】
【０００３】
様々なカートリッジを伴う電子兵器の能力を認識することに関し、ユーザー訓練の範囲及び電子兵器ユーザーへの負担を軽減することが望ましい。
【課題を解決するための手段】
【０００４】
警察官、軍兵士、又は民間人の様な個人が、標的（例えば、１個体又はそれ以上の人物又は動物）の自由な移動運動を妨害したいと望むことがあるかもしれない。標的による移動運動には、標的の全部又は一部による、当個人に向かう及び／又は個人から離れてゆく動きを含めることができる。個人は、防御目的又は攻撃目的（例えば、自己防衛、他人の防護、財産の防護、或る区域へのアクセス規制、脅威排除）で、標的による移動運動を妨害したいと望むことがある。例えば、テロリストが、襲撃を途中で制止され、施設、機材、操作員、罪の無い市民、及び法執行職員、を不法に制圧するための武力を伴う行為を完遂することを阻止されるかもしれない。別の例として、法執行官が、電子兵器を単数又は複数の人物に対して使用することによって、彼らを取り押さえたり、彼らの協力を維持したりすることがある。
【０００５】
電子兵器は、標的を含めた回路に電流を通す如何なる兵器をも含む。手持ち型兵器（例えば、接触スタン（stun：打撃による朦朧化）装置、スタンガン、警棒、盾）、銃、戦機（installation）、手榴弾、地雷、又は武装ロボットが、ワイヤが連結された投げ矢を射て回路を形成してもよい。拘束装置（例えば、感電ベルト、ハーネス、首輪、足鎖、手錠、眼帯）を標的に付着させて回路を形成してもよい。電流を供給する電子回路の全部又は一部が、標的に向けて推し出されてもよい。標的に向けて（例えば、銃、戦機、手榴弾、地雷、又は武装ロボットにより）発射されたワイヤ無し射出体が、電極を展開して回路を確立させてもよい。
【０００６】
電子兵器は、標的に押し当てて使用されたとき、電流を標的組織の一部に流れさせて、標的が骨格筋を使用することを妨害する。標的に電流を通すことを、ここでは、標的を刺激すること、と呼んでおり、電流は、ここでは、刺激信号と呼ばれている。刺激することには、電子兵器（例えばスタンガン）に固定されている電極（端子とも呼ばれる）が標的組織に近接している局所スタン機能、電子兵器の電極が電子兵器から遠くへ発射される（例えば、導電性の連結ワイヤにより接続されている）遠隔スタン機能、及び／又は、標的に向けて射出体が電子兵器から遠くへ発射される（例えば、接続用連結ワイヤ無し）遠隔スタン機能が含まれる。
【０００７】
端子又は電極が標的の組織に近接しているとき、空中にアークが形成され、電流が標的の組織を通って流れるための回路が完成される。電流は、複数のパルスとして送達させることができる。それぞれのパルスは、標的が骨格筋を使用することを妨害する。各アークは、パルス毎に形成されてもよいし、一連のパルスの間維持されてもよい。
【０００８】
電流は、何れの従来の方式で定量化されてもよい（例えば、数パルスの平均電流、１秒当たりのパルス数、１パルス当たりの平均電荷、平均パルス持続時間）。ここで論じられている型式の電子兵器は、（単に痛みを生じさせるのとは対照的に）移動運動を止めさせる刺激信号を提供してもよい。移動運動を止めさせる型式の従来の刺激信号は、毎秒５から２０パルス、毎秒５０から５００マイクロクーロンで、１パルス当たり１０から５００マイクロ秒の電流持続時間を有している。持続時間と電荷の測定は、標的の代用とされる負荷（例えば４００オーム）を通る電流のピーク振幅の１０％と９０％の点の間で行うことができる。
【０００９】
刺激信号は、痛みに苦しめられている標的が動かないやり方、又は電流に苦しめられている標的がその四肢を動かすことができないやり方で、標的が骨格筋を随意制御することを妨害する。その結果、標的は、自身のバランスを失い、地面に倒れることもある。電子兵器を使用すれば、標的は取り押さえられることに抵抗する意思を無くすか又は好適には抵抗することができなくなるので、標的の取り押さえが簡単になる。
【００１０】
作動時、例えば、テロリストの行為を制止する場合、電極が電子兵器から制止又は制御されるべき人物に向けて推し出される。衝突後、電極の間に、当該人物が自身の骨格筋を使用することを妨害するのに十分な、毎秒５から２０パルスのパルス電流が通電する。妨害には、不随意の繰り返される強烈な筋肉収縮が含まれ、それらは持続的な収縮へと結合されることもある。
【００１１】
本発明の様々な態様による展開用ユニットは、刺激信号を送達するための如何なる材料を含んでいてもよい。材料一式がカートリッジとしてパッケージ化されていてもよい。一式の材料が数セット分、弾倉又はクリップに配列されていてもよい。材料は、使い捨て材料（例えば、単回送達で完全に使い切られる推進部の容器、再使用不可能な電極、及び連結ワイヤ）を含んでいてもよい。展開用ユニットは、（例えば、推進部とワイヤ連結式電極を備えている）カートリッジとして、（例えば、信号生成器と展開電極を備えている）感電射出体として、及び／又はそれらの組合せ（例えば、クリップ、弾倉）として、パッケージ化されていてもよい。展開用ユニットの機能は、上に論じられている様に発射すること及び刺激することを含み、更に、展開用ユニットを記述することを含んでいてもよい。記述することは、展開用ユニットの属性（例えば、機械的又は電気的）を任意の時点（例えば、属性の改変中）に表示すること、を含んでいてもよい。
【００１２】
本発明の様々な態様による電子兵器は、１つ又はそれ以上の展開用ユニット（展開ユニットとも呼ばれる）を受け入れることができ、当該１つ又はそれ以上の展開用ユニットと協働する発射制御部を含むことができる。発射制御部は、１つ又はそれ以上の展開用ユニットと、（例えば、バスを備えている）多目的インターフェースを介して通信することができる。
【００１３】
電極、連結ワイヤ、及び推進部システムを含む展開用ユニットは、単回遠隔スタン使用のための電子兵器を形成するのに好都合にその場限りに発射制御部に装填するために、カートリッジとしてパッケージ化されていてもよい。電極がカートリッジから推し出された後、使用済みのカートリッジを電子兵器から取り出し、別のカートリッジと取り換えて、同一又は異なる標的相手にまた１回使用するための準備完了態勢にする。必ずしもというわけではないが一般的には、カートリッジが電子兵器から取り外されたら、刺激信号はもはやカートリッジの電極を通って送達されなくなる。カートリッジは、１セットとして一斉に発射されるか、複数セットとして様々な時点で発射されるか、又は個々に発射される、幾つかの電極を含んでいてもよい。
【００１４】
本発明の様々な態様による弾倉又はクリップは、同一又は異なる標的への電子兵器の多回使用を支援する。弾倉は、上に論じられている、使い捨て材料、複数のカートリッジ、及び／又は複数の射出体、のアッセンブリを含んでいてもよい。例えば、使用毎に、典型的には１つの標的を含む１つの回路を通して刺激信号を展開する（例えば、使用毎に１射）電子兵器は、連続射撃（例えば、トリガ事象毎に１射又はそれ以上）の場合、又は実質的に同時又は連続した多重射撃（例えば、トリガ事象毎に同時に数射及び／又は数回の刺激）の場合、に合わせて弾倉を独立的に制御する発射制御部を含むことができる。発射制御部は、使用毎に固有の導体及び／又は数回の使用に共通の導体、を使用して弾倉と通信することができる。
【００１５】
本発明の様々な態様による弾倉は、数回使用（例えば、数回のトリガ事象）用の材料を、電子兵器による使用に向けて準備完了態勢に維持する。例えば、最初に試みられた遠隔スタン機能が成功しなかった（例えば、電極が標的を外した、電極が一体に短絡した）場合、材料（例えば、カートリッジ、射出体）の第２のセットが、（例えば、電子兵器及び／又は弾倉を機械的に調節するオペレータの介入無しに）実質的に即座に使用するための準備完了態勢にさえる。
【００１６】
発射制御部にとっては、発射制御部の次の動作に先立ち、材料について、それが発射制御部の１回又はそれ以上の使用に利用可能であることを識別するのが望ましい。また、利用可能な材料が無いことを識別することも望ましい。識別は、材料の何らかの属性を検出することによって行われてもよい。属性には、電子兵器によって検出可能な材料の態様（例えば、物理的大きさ、物理的形状、重量、電気特性、温度、及び／又は展開ユニット機能の何らかの動作）が含まれる。以下の考察では、分かり易くするために、単回使用の材料をカートリッジと呼んでいる。本発明の様々な態様によれば、ここで論じられている構造と機能の他の電子兵器実施例は、上に論じられている弾倉及びクリップであって、１つ又はそれ以上の機械的に分離可能なカートリッジとしてパッケージ化されていない材料を有する弾倉及びクリップを採用することもできる。
【００１７】
展開用ユニットの作動は、展開用ユニットの或る機能が実行されると起こる。具体的には、カートリッジの作動は、或るカートリッジ機能が実行されると起こる。本発明の様々な態様によるカートリッジは、以下のカートリッジ機能、即ち、発射する、刺激する、記録されるべき情報を提供する、及び利用可能なカートリッジを記述する、という機能のうちの１つ又はそれ以上を実行することによって作動する。カートリッジ機能は、個別に起動されてもよいし、又はセットで起動されてもよい。カートリッジ機能は、トリガ事象毎に１回起動されてもよいし、１回のトリガ事象に反応して連続で起動されてもよい。１つの機能の実行が別の機能の実行を開始させてもよい。使い捨て材料の制限により、１回しか実行されない機能もあれば（例えば、発射する）、複数回実行される機能もある（例えば、刺激する、情報を提供する、記述する）。
【００１８】
記述機能は、本発明の様々な態様によれば、電子兵器に、上に論じられている展開用ユニットの属性へのアクセスを提供する。表示器は、記述機能を実行することができる。記述機能は、発射制御部と展開用ユニットの間のインターフェースを介して実施される。記述機能を実行することにより、情報はインターフェースを横断して運ばれる。発射制御部は、運ばれてきた情報を記録することができる。
【００１９】
情報には、属性の現在値、属性の値の変化、及び／又は、属性の値の変化の速度、の表示を含めることができる。例えば、属性は、抵抗、キャパシタンス、インダクタンス、共振、極性、又はデジタル値の何れであってもよい。属性は、或る基準（例えば、抵抗比）に対して表示されてもよい。属性は、特定の回路の帰結（例えば、抵抗の並列組合せ、連続性）であってもよい。属性は、時間分布していてもよい（例えば、シリアル符号）。属性は、正しい装着又は組み立て（例えば、カートリッジ、射出体、弾倉、又はクリップが発射制御部に機械的及び／又は電気的に正しく連結されていること）を示していてもよいし、それらを欠いていること（例えば、準備完了態勢の材料が無いこと）を示していてもよい。属性は、展開用ユニットの射程（例えば、連結ワイヤの設計長さ）、製造元、製造年月日、状態（例えば、準備完了態勢、使用済み）、及び誤作動のうちの何れについての情報を搬送していてもよい。
【００２０】
カートリッジの或る機能が実行されると、カートリッジの属性が修正されることになる。例えば、カートリッジから電極が発射されることで、カートリッジの電極の現在の属性が、電極存在から電極不在に変えられる。発射により、推進部、連結ワイヤ、電極、脆弱回路、消費材料、破壊される構成要素、及び／又は射出体の一部分に関係付けられている電気インピーダンスが修正される。
【００２１】
本発明の実施形態を、図面を参照しながら詳しく説明してゆくが、図中、同様の記号表示は同様の要素を表している。
【図面の簡単な説明】
【００２２】
【図１】本発明の様々な態様による、展開用ユニットを備えた電子兵器の部分機能ブロック図である。
【図２】本発明の様々な態様による、弾倉を備えた電子兵器の部分機能ブロック図である。
【図３】図１又は図２の展開用ユニットの部分機能ブロック図である。
【図４】本発明の様々な態様による、展開用ユニットを備えた別の電子兵器の部分機能ブロック図である。
【図５】本発明の様々な態様による、射出体の部分機能ブロック図である。
【図６】本発明の様々な態様による、別の射出体の部分機能ブロック図である。
【図７】図４又は図６の刺激信号生成器の簡略配線図である。
【図８】本発明の様々な態様による、電子兵器と展開用ユニットの間の二導体インターフェースの簡略配線図である。
【図９】本発明の様々な態様による、電子兵器と展開用ユニットの間の三導体インターフェースの簡略配線図である。
【図１０】本発明の様々な態様による、電子兵器と展開用ユニットの間の別の三導体インターフェースの簡略配線図である。
【発明を実施するための形態】
【００２３】
本発明によれば、電子兵器は展開用ユニットと協働で特定の相乗作用を実現する。例えば、図１−図１０の電子兵器では、協働を改善するために、展開用ユニットの属性の記述がインターフェースを横断して搬送される。図１の電子兵器１００は、発射制御部１０２、展開用ユニット１０４、及びインターフェース１２０を含んでいる。発射制御部１０２は、検出器１０８と記録器１１０を含んでいる。展開用ユニット１０４は、表示器１０６を含んでいる。簡単に言うと、発射制御部１０２は、発射前、発射中、及び／又は発射後に、展開用ユニット１０４からの情報を検出する。発射制御部１０２は、上に論じられている局所スタン及び／又は遠隔スタンを遂行する上で必要に応じユニット１０４の機能を制御する。展開用ユニット１０４は、発射する、刺激する、及び記述するための構造を含むことができる。発射デバイス１０２は、展開用ユニットの少なくとも１つのカートリッジ、望ましくは全てのカートリッジの、属性（例えば、使用、誤作動、射程）を判定することができる。発射デバイス１０２は、これらの属性を、展開用ユニット１０４が、発射デバイス１０２と一体に、発射デバイス１０２上に、又は発射デバイス１０２内に、装着された際に判定してもよい。
【００２４】
発射制御部は、発射機能を実行する如何なる装置をも含む。発射制御部は、ワイヤ連結式電極を推し出してもよい。発射制御部は、射出体の全部又は一部を推し出してもよい。例えば、地雷（例えば、領域拒否デバイス）用の発射制御部なら、ワイヤ連結式電極を発射することができる。兵器（例えば、電子機器、従来型の銃火器を組み合わせた電子機器）用の発射制御部なら、兵器からワイヤ連結式電極及び／又は射出体を発射することができる。発射機能を始動させるトリガ事象は、発射制御部のユーザー（例えば、手動作動型トリガ）によって始動されてもよいし、標的（例えば、仕掛線）によって始動されてもよい。
【００２５】
検出器は、展開用ユニットの属性を検出する如何なる装置をも含む。検出器は、展開用ユニットの属性の表示を受信することができる。例えば、検出器１０８は、インターフェース１２０を横断して搬送された表示を受信することができる。検出器１０８は、表示器１０６と協働するために、電圧、電流、及び／又はデジタル信号を提供する回路を含むことができる。例えば、表示器１０６が抵抗を含んでいる場合は、検出器１０８は、抵抗を検出する（例えば、抵抗を測定する、抵抗の存在を検出する、抵抗比を求める、抵抗を閾値と比較する）のに、電流を供給することができる。
【００２６】
展開用ユニットの属性の表示は展開用ユニットを概括的に記述している。記述は、展開用ユニットの型式及び／又は特定の展開用ユニットの識別子を示していてもよい。型式は、当該の型式の品目群を記述し、識別子は、当該の識別情報を有する１品目を記述している。例えば、型式は、製造元、モデル、能力、規格、品質レベル、期間、又はそれらの記述の組合せを表していてもよい。発射、展開、打ち込み、刺激、通信、記録の機能、又はここに論じられているこれらの機能の組合せのための条件は、当該条件に一致する型式又は識別子によって満たされる。センサーから型式又は識別子の表示を受信するプロセッサは、これらの機能を条件付きで制御することができる。例えば、通信媒体（例えば、１つ又はそれ以上のチャネル）を競合使用するために、送受信器がアドレス指定可能になっていてもよい。アドレスは、識別子の表示から全体的又は部分的に求めることができる。
【００２７】
記録器は、電子兵器１００の使用についての情報を記録する如何なる装置をも含む。記録器は、発射制御部１０２による機能の実行を記録することができる。例えば、記録器１１０は、発射制御部１０２による機能の実行についての情報及び展開用ユニット１０４についての情報を記録する。展開用ユニット１０４からの情報には、展開用ユニット１０４の記述（例えば、１つ又はそれ以上の属性）を含めることができる。記録される情報には、時間、日付、場所、オペレータのＩＤ、発射制御部のＩＤ、使用、誤作動、及び／又はバッテリー容量、の如何なる組合せを含めることもできる。記録器１１０は、音声及び映像情報を記録してもよい。記録機能は、上記情報を音声又は映像情報（例えば、副題）と一体化してもよい。記録器１１０は、再検討のための情報へのアクセスを容易にするため、任意の従来型インターフェース（例えば、ＵＳＢ、無線ネットワーク）と協働する。
【００２８】
別の実施例では、発射制御部１０２は、発射制御部１０２の費用と複雑性を減少させるために記録器１１０を含んでいない。
表示器は、情報を発射制御部へ提供する如何なる装置をも含む。表示器１０６は、上に論じられている記述機能を実行することができる。表示器１０６は、上に論じられている様に展開用ユニット１０４の１つ又はそれ以上の属性の表示を提供する、任意の装置を含んでいる。表示器は、情報を表示器から発射制御部に搬送する表示の伝達では発射制御部と協働する。情報は、表示器により信号をソースすること、又は発射制御部によりソースされた信号を表示器で変調することを含め、如何なる従来の方式で伝達されてもよい。情報は、伝達される信号の何れの従来の属性に従って伝達されてもよい。例えば、表示器は、発射制御部によってソースされた電荷、電流、電界、磁界、磁束、又は放射線（例えば、光線）に影響を与える受動的な電気、磁気、又は光学的回路又は構成要素を含むことができる。特定の単数又は複数の時点における電荷、電流、電／磁界、磁束、又は放射線の有（無）を使用して、発射制御部と表示器の間にインターフェースを介して情報を搬送することができる。発射制御部の検出器に対する表示器の相対位置も更に情報を搬送することができる。様々な実施例では、表示器は、以下のもの、即ち、抵抗、キャパシタンス、インダクタンス、磁石、磁気分路、共振回路、フィルター、光ファイバー、反射面、及びメモリデバイス、の何れのものの１つ又はそれ以上を含んでいてもよい。
【００２９】
様々な実施例による表示器は、上記技術の如何なる組合せをも含む。表示器は、アナログ及び／又はデジタル技法を使用して通信することができる。２ビット以上の情報が搬送されることになる場合、通信は、順次式、時間多重化、周波数多重化、又は並列伝達式であってもよい（例えば、多重化技術を使用、同技術の多チャネルを使用）。
【００３０】
表示器により表示される情報は、符号化方式で伝達されてもよい（例えば、アナログ値は数字符号を搬送し、伝達された値は、インデクスを発射デバイスの表へ搬入して符号の意味が更に詳しく記述されるようにする）。情報は、カートリッジ及び／又は弾倉の属性の記述を含むことができ、その様な属性には、例えば、このカートリッジにより利用できる使用の数量（例えば、１回、複数回、残量）（例えば、カートリッジの電極対の数量に対応していてもよい）、それぞれの遠隔スタン使用での有効距離の範囲、カートリッジが次の遠隔スタンで使用される準備が完了した態勢にあるか否か（例えば、完全使用済みカートリッジの表示）、全ての又は次の遠隔スタン使用での有効距離の範囲、カートリッジの製造元、カートリッジの製造年月日、カートリッジの有能性、カートリッジの無能性、カートリッジのモデル識別子、カートリッジの製造番号、発射デバイスのモデルとの適合性、カートリッジの装着方向（例えば、それぞれの向きで能力（例えば、有効距離）が異なるという具合に複数の向きを使用することができる場合）、誤作動、及び／又は使用、が含まれる。
【００３１】
使用（例えば、カートリッジの機能の実行）には、本発明の様々な態様によれば、電極を展開するか又は射出体を推し出す発射動作を含めることができる。展開は、従来式に、ガスの突然放出（例えば、火工ガス生成又は圧縮ガスのシリンダの破裂）により行われている。ガスの突然放出により発生する力が、少なくとも１つの電極を展開用ユニットから推し出す。当該の力は、更に、カートリッジの属性を修正することになる。修正された属性（例えば、前後の値、値の変化、閾値より高い又は低い値）が検出されることで、使用が分かる。
【００３２】
インターフェースは、情報を搬送する如何なる装置をも含む。例えば、インターフェース１２０は、表示器１０６と検出器１０８の間で情報を搬送する。インターフェース１２０は、表示器１０６及び／又は検出器１０８により提供される任意の形式の情報を受信する。例えば、インターフェース１２０は、検出器１０８からの電気信号を表示器１０６へ搬送し、表示器１０６からの電気信号の修正済みバージョンを検出器１０８へ搬送する。インターフェース１２０は、更に、（例えば、電気接触させるために展開用ユニット１０４を発射制御部１０２に押し付けて配置する、無線通信のために展開用ユニット１０４を発射制御部１０２に近接して配置する）機械的な機能を含んでいてもよい。
【００３３】
本発明の様々な態様によれば、電子兵器は、単一の展開用ユニットの使い捨て材料の複数のセットと協働することができる。例えば、図２の電子兵器２００は、発射制御部２０２、弾倉２０４、及びインターフェース２２０を含んでいる。発射制御部２０２は、検出器２１２と記録器２１４を含んでいる。弾倉２０４は、カートリッジ２０６及びカートリッジ２０８を備えた展開用材料の複数のセット２０５を含んでいる。弾倉２０４は、更に、表示器２１０を含んでいる。
【００３４】
インターフェース２２０は、インターフェース１２０に関連して上に論じられている全ての機能を実行してもよい。インターフェース２２０は、更に、或る特定のカートリッジを発射制御部２０２に対して配置することもできる（例えば、それぞれの未使用カートリッジを、発射制御部２０２と順番に通信できるように、順次整列させる）。
【００３５】
作動時、発射制御部２０２は、カートリッジの発射前、発射中、及び／又は発射後に弾倉２０４からの情報を検出する。発射制御部２０２と弾倉２０４の間の通信は、インターフェース２２０を介して起こる。発射制御部２０２は、弾倉２０４及び／又はそれぞれのカートリッジ（例えば、一括、グループのサブセット、個別）の機能を、弾倉の局所スタン機能及び／又は遠隔スタン機能を遂行する上で必要に応じ制御する。
【００３６】
表示器では、使い捨て材料の単一セット（例えば、１カートリッジ）又は複数のセット（例えば、複数カートリッジ）について記述機能を実行することができる。例えば、表示器２１０は、展開２０４のカートリッジ２０５のそれぞれについて、表示器１０６に関連して上に論じられている記述機能を実行する。表示器２１０は、カートリッジについての記述機能を、連続して実行してもよいし、同時に実行してもよい。記述機能は、個別のカートリッジについて実行されてもよいし（例えば、２０６と２０８は個別にアドレス指定可能）、次のカートリッジ又はカートリッジの任意の適したグループについて実行されてもよい。カートリッジの１つのグループが、弾倉２０４の全カートリッジを含んでいれば、これ以上の使用は応じられないこと（例えば、全て使用済み）が分かる。
【００３７】
表示器２１０は情報を集計することができる。表示器２１０は、記述機能を実行する際に又は遅延方式で、インターフェース２２０を介して情報を提供することができ、遅延方式の場合は、転送前に情報の格納が必要になる。インターフェース２２０は、情報を、ここで論じられている何れの方式で搬送してもよい。例えば、表示器２１０は、如何なる従来型のメモリ技術を組み入れていてもよい。
【００３８】
検出器２１２と記録器２１４は、表示器２１０によって提供される情報へアクセスするのに適した改造が加えられて、検出器１０８と記録器１１０に関連して上に論じられている機能を実行することができる。
【００３９】
展開用ユニットは、使い捨て材料に対して、発射機能、刺激機能、及び／又は記述機能を実行することができる。これらの機能の１つの実行が、これらの機能の別の機能の実行の必要条件とされていてもよい。展開用ユニットの機能の実行は、インターフェースを通じて、全体的に又は部分的に制御されていてもよい。展開用ユニットは、とりわけ、発射、刺激、及び記述機能、を実行するカートリッジを含んでいてもよい。
【００４０】
発射機能は、電極及び／又は射出体を標的に向けて発射するための如何なる動作をも含む。発射機能は、標的に電流を流すために、展開用ユニットの全部又は一部分を標的に向けて推し出す。発射機能は、上で説明されている様に、発射制御部、ユーザー、及び／又は標的によって始動させることができる。発射機能は、推進部を点火し、及び／又は（例えば、上に説明されている）ガスの急速膨張を開始させることができる。発射機能は、更に、電極を、射出体から標的に向けて、及び／又は初期には標的から遠ざけて、展開する機能を含んでいてもよい。
【００４１】
刺激機能は、標的に電流を流すための如何なる動作をも含む。電流は、一続きの電流パルスとして提供されてもよい。刺激機能は、毎秒５から２０パルスの速度で電流のパルスを提供してもよい。刺激機能は、それぞれに任意の数のパルスを備えたパルスの連なりを任意の数だけ提供されてもよい。刺激機能は、アークが隙間の空気をイオン化して、標的を通って電流が送達されるようにするための低抵抗経路を確立する、イオン化を含んでいてもよい。
【００４２】
記述機能は、上に説明されている様に、カートリッジ、弾倉、及び／又は射出体の属性の表示を提供するための如何なる動作をも含む。記述機能は、展開用ユニットの属性を検出することができる。
【００４３】
インターフェースは、機能同士の通信を提供する。インターフェースは、当該インターフェースに直接的又は間接的に連結されている如何なる機能及び／又は装置についても通信を提供する。展開用ユニットのインターフェースは、更に、上に論じられている、配置のための機械的機能を提供していてもよい。
【００４４】
例えば、図３のカートリッジ３００は、発射機能３０２と、刺激機能３０４と、記述機能３０６を実行する。カートリッジ３００のそれら機能は、インターフェース３１０を介して弾倉と又は発射制御部と通信することができる。機能は、互いの間で、及びインターフェース３１０に直接的又は間接的にアクセスすることができる何れの他の機能とも、情報、状態、及び／又は制御メッセージを伝達することができる。例えば、発射制御部は、インターフェース３１０を介して、発射機能３０２の実行を開始させることができる。トリガが引かれると、刺激機能３０４の実行が開始される。検出器及び／又は表示器は、インターフェース３１０を介して、記述機能３０６と通信することができる。記述機能３０６は、発射前、発射中、又は発射後に、情報を提供することができる。カートリッジ３００は、局所スタン及び／又は遠隔スタンを遂行する上で必要に応じ機能を実行することができる。
【００４５】
図４の電子兵器４００は、図１と図３に基づく電子兵器の１つの実施例である。電子兵器４００は、インターフェース４１０によってカートリッジ４０２に連結されている発射制御部４０１を含んでいる。発射制御部４０１は、プロセッサ４０３と刺激信号生成器４０４を含んでいる。カートリッジ４０２は、推進部４０５と、ワイヤ連結式電極４０６と、表示器４０８を含んでいる。カートリッジ４０２は、単発射撃用交換式カートリッジ（例えば、丸弾（round））としてパッケージ化された展開用ユニットである。発射制御部４０１は、射撃毎に１個の装填されたカートリッジ４０２を使用しており、装填されたカートリッジ４０２が発射制御部４０１から取り外される（脱着される）まで、装填されたカートリッジ４０２で遠隔スタン刺激を繰り返すことができる。
【００４６】
もう１つの実施例では、電子兵器は、図２、図３、及び図４に基づき、上に論じられている発射、刺激、及び記述の機能の複合動作のための改造を加えて、作製され、作動する。それぞれの射出体は、単発射撃交換式丸弾としてパッケージ化されている展開用ユニットである。
【００４７】
推進部４０４は、電極と標的の組織を通して回路が形成されるように標的に向けて少なくとも１つの電極を押し出すように発射機能３０２を実行する。発射制御部、ユーザー、及び／又は標的は、インターフェース４１０を介し、推進部４０４の動作を起動させることによって、発射機能３０２の実行を開始させることができる。刺激信号生成器４０４と少なくとも１つの電極４０６は、標的に電流を流すことによって、刺激機能３０４を実行する。刺激信号生成器４０４は、上に説明されているイオン化及び標的の刺激をもたらす刺激信号を提供することができる。表示器４０８は、記述機能３０６を実行する。表示器４０８は、カートリッジ４０２の属性を検出する。表示器４０８は、インターフェース４１０を介して、属性の表示を示し、プロセッサ４０３がそれを検出する。プロセッサ４０３は、プロセッサ４０３の一部であるメモリに格納されている命令を実行することにより、発射、刺激、及び記述の機能の実行を開始し、判定し、及び／又は制御する。
【００４８】
展開用ユニットは、上に説明されている機能を実行する射出体を含んでいてもよい。例えば、射出体は、当該射出体が命中した標的に刺激信号を流すことによって、刺激機能を実行する。射出体の刺激機能はまた、イオン化を実行することもできる。射出体は、当該射出体の全部又は一部分を標的に向けて推し出すことにより、発射機能を実行するか、又は発射機能により影響を受ける。射出体の一部分は、発射制御部と一体に留まることになる。被射出部分は、発射制御部に連結されていない。表示器は、射出体の属性を検出して記述機能を実行する。射出体の機能は、インターフェースを介して通信することができる。
【００４９】
例えば、図５の射出体５００は、図１と図３に基づく射出体の１つの実施例である。射出体５００は、基体部分５０２と被射出部分５０４を含んでいる。基体部分５０２は、発射機能３０２、５０６と、記述機能３０６、５０７の少なくとも一部分を実行する。被射出部分５０４は、刺激機能３０６、５１０と、記述機能３０６、５０８の少なくとも一部分を実行する。作動時、射出体５００（展開用ユニット１０４、２０４、３００）が、適した電子兵器１００、２００に挿入される。電子兵器は、発射制御部を備えることができる。発射制御部１０２、２０２が基体部分５０２の発射機能５０６を始動させることによって、被射出部分５０４が標的に向けて推し出される。基体部分５０２は電子兵器の中に留まる。発射後、被射出部分５０４は、基体部分５０２又は電子兵器に連結されていない。射出体５００の機能は、インターフェース５２０を介して通信することができる。機能は、互いの間で、及びインターフェース５２０に直接的又は間接的にアクセスすることができる何れの他の機能とも、情報、状態、及び／又は制御メッセージを伝達することができる。記述機能５０７、５０８は、基体部分５０２、被射出部分５０４、又はそれら両方の部分、の属性を記述することができる。記述機能５０７、５０８は、発射前、発射中、又は発射後に、情報を提供することができる。射出体５００は、遠隔スタンを遂行する上で必要に応じ機能を実行する。
【００５０】
発射制御部と射出体を含む電子兵器の１つの実施例では、発射制御部は、上に論じられているインターフェース５２０に連結されているインターフェースを含んでいる。インターフェース５２０は、電気的及び機械的インターフェース技術の任意の組合せを用いて実施することができる。例えば、発射機能５０６の起動は、従来型の機械的装置（例えば、撃針）によるか、又は電流を推進部に通して当該推進部に点火する電気回路によって、遂行される。射出体５００の記述機能は、受動的な電気的構成要素又は発射制御部から電流を受け取る構成要素を使用して実施することができる。例えば、抵抗の所定の大きさを備えている表示器（例えば、１つ又はそれ以上の受動的な構成要素を使って実施）が記述機能を実行してもよく、その場合、抵抗を判定することは電流を抵抗に通すことを伴い、電流は発射制御部に元を発し、インターフェース５２０を横断して表示器まで搬送される。もう１つの例では、射出体を記述する１つ又はそれ以上の値を用いてプログラムされているメモリデバイスを備えた表示器が記述機能を実行してもよく、その場合、メモリの読み取りは、電力及び／又は刻時電流を表示器に提供することを伴う。電力及び／又は刻時電流は発射制御部に元を発し、インターフェース５２０を横断して表示器まで搬送される。射出体に電流を提供することで、記述機能を実行する度に射出体のバッテリー電力供給は影響（オン／オフ、ドレインされる）を受けずに済む。
【００５１】
記述機能５０７、５０８は、発射機能５０６の前及び／又は発射機能５０６の後に実行することができ、発射後の場合は、記述機能５０８への適した通信支援を用いて実行される。１つの実施例では、記述機能５０８は、発射前は記述機能５０７と協働し、発射後は実行されない。別の実施例では、記述機能５０７は、記述機能５０８がその機能を実行するので、省略されている。別の実施例では、記述機能５０８は、インターフェース５２０の複雑性を低減するために、記述機能５０７に連結されている（例えば、１つのインターフェース回路について両方の記述機能が並列で作動する、１つのインターフェース回路について両方の記述機能が直列で作動する）。
【００５２】
図６の射出体６００は、図１、図２、図３、及び図５に基づく射出体の１つの実施例である。射出体６００は、遠隔スタンを遂行する上で必要に応じ機能を実行する。射出体６００は、インターフェース６２１で交わっている基体部分６０２と被射出部分６０４を含んでいる。基体部分６０２は、推進部６０５と表示器６０６を含んでいる。被射出部分６０４は、プロセッサ６０７、刺激信号生成器６０８、電極６１０、及び表示器６１２を含んでいる。推進部６０６は、発射機能５０６を実行する。推進部６０６は、上に説明されている方法を使用して、被射出部分６０４を基体部分６０２から推し出す。基体部分６０２は、電子兵器と一体に留まる。基体部分６０２は、複数の被射出部分６０４を受け入れ、発射させてもよいし、或いは基体部分６０２は、単回使用であってもよい。被射出部分６０４は、刺激信号生成器６０８と標的に向けた電極６１０を担持している。被射出部分６０４が標的に近接し及び／又は接触したとき、刺激信号生成器６０８と電極６１０は、上に論じられている様に標的に電流を流すことによって刺激機能５１０を実行する。表示器６０６、６１２は、とりわけ、発射機能５０６の実行前に、記述機能５０７、５０８を実行する。表示器６０６は、基体部分６０２の属性を示すことができる。表示器６１２は、被射出部分６０４の属性を発射制御部に示すことができる。発射前及び発射中、表示器６１２は、インターフェース６２１を介して表示器６０６と通信することができる。
【００５３】
インターフェース６２１は、伝導性電気信号又は放射性電気信号を使用することができる。発射機能５０６の実行の後、表示部６１２は、基体部分と被射出部分が切り離されることによって伝導性電気信号を使用する通信が妨げられるために、インターフェース６２１を介して表示器６０６と通信することができなくなる可能性がある。別の実施例では、インターフェース６２１は、無線通信を含んでいる。発射機能５０６の実行の後、表示器６０６と６１２は、電子兵器１００、２００とプロセッサ６０７の間で、送受信器６２２と６２４を介して、情報、状態、及び／又は制御メッセージの伝達を継続することができる。如何なる低電力指向性無線通信技術を使用することもできる。送受信器６２４には、送受信器６２２及び／又は範囲内の他の送受信器との通信のために、型式及び／又は識別子（例えば、グループアドレス又は固有アドレス）が関係付けられていてもよい。
【００５４】
表示器６０６、６１２は、上に論じられている記述機能５０７、５０８を個別に又は一括して実行することができる。例えば、表示器６０６及び、又は６１２は、残りの表示器が適切に記述機能を実行する場合は、省略されてもよい。１つの実施例では、表示器６０６と６１２は、直列に接続されていて、発射制御部への従来型のＩ２Ｃインターフェースを支援している。別の実施例では、発射前は受動回路（例えば、１つ又はそれ以上の抵抗器）が表示器として機能し、発射後は、刺激信号生成器６０８、プロセッサ６０７、及び送受信器６２４が記述機能を実行する。
【００５５】
プロセッサ６０７は、プロセッサ６０７の一部であるメモリに格納されている命令を実行することにより、刺激及び記述の機能の実行を調整し、始動させ、判定し、及び／又は制御する。プロセッサ６０７と刺激信号生成器６０８は、プロセッサ４０３と刺激信号生成器４０４に関連して上に論じられている機能を、カートリッジ４０２によるワイヤ連結式遠隔スタンとは対照的に、射出体６００による無線遠隔スタン用に改造を加えた上で実行している。
【００５６】
刺激信号生成器は、表示器又は表示器により監視されている属性に影響を与えることができる。例えば、電子兵器は、局所スタン機能を遂行するのに標的の組織に押し付けるための端子（電極とも呼ばれる）（例えば、電子兵器と一体化、カートリッジにパッケージ化、弾倉にパッケージ化）を含んでいることがある。局所スタン機能（打ち込みスタン又は単に打ち込みとも呼ばれる）の度、標的組織に電流を流す信号生成器は、電子兵器、カートリッジ、又は弾倉の属性に影響を与えることになる。属性は、増分的に改変されることになる。属性の改変後の値の表示を提供する表示器は、上に論じられている様に検出器と協働して、属性の記録を提供することができる（記録器１１０及び２１４と同様）。改変可能な属性は、充電コンデンサ、アナログカウンタ、デジタルカウンタ、アナログメモリ、及び／又はデジタルメモリを含む、アナログ又はデジタル技術を用いて実施することができる。
【００５７】
刺激信号生成器は、刺激信号を送達することによって刺激機能を実行する。刺激信号生成器は、上に論じられている、適した単数（又は複数）の刺激信号を生成することによって、イオン化及び／又は刺激を実行する。例えば、図７の刺激信号生成器７００は、プロセッサに応答して、電極を介して標的に電流Ｉ０を流す。電流Ｉ０は、骨格筋の収縮を引き起こし、それにより、標的による移動運動を妨害する。刺激信号生成器７００は、充電回路７０４、コンデンサＣ１、スイッチＱ１（例えば、ＳＣＲ又はＦＥＴ）、及び変圧器Ｔ１を含んでいる。充電回路７０４、スイッチＱ１、変圧器Ｔ１、電極、及びプロセッサ（例えば、４０３、６０７）の構造と動作は、以下の米国特許及び公開特許出願、即ち、第７０７５７７０号、第７１４５７６２号、第７２８０３４０号、及びＷＯ２００７／１３０８９５号に記載されている型式であってもよく、前記特許及び公開特許出願を、本文脈にはかかわらず全ての教示について、参考文献として援用する。
【００５８】
例えば、充電回路７０４は、Ｉ０の１出力電流パルス分のエネルギーを蓄えるために、コンデンサＣ１を或る電圧（例えば、約３０００ボルト）まで充電する。所望のパルス繰り返し速度（例えば、毎秒約１８パルス）に適した時点で、プロセッサ（例えば、４０３、６０７）は、コンデンサＣ１が変圧器Ｔ１の一次巻線を通して完全に放電されるまで、スイッチＱ１を閉じる。変圧器Ｔ１の一次巻線を電流が流れると、その結果、変圧器Ｔ１の二次巻線と電極を横断して昇電圧（例えば、約５００００ボルト）が生じる。電流Ｉ０は、変圧器Ｔ１の二次巻線と電極と標的組織を含んでいて、更には１つ又はそれ以上の空隙を含んでいるかもしれない、回路に流れる。電流Ｉ０は、回路を完成させるために、それぞれの間隙を横断してイオン化経路を形成するのに十分な電圧として送達させることができる。
【００５９】
射出体の標的との衝突の力のために、空隙が存在すると予想されない場合の射出体の実施例では、変圧器Ｔ１を省略することができる。標的組織に、直接、衝撃を与える電極の場合、充電回路７０４は、コンデンサＣ１を刺激電圧（例えば、約４５０ボルト）まで充電することができる。
【００６０】
充電回路７０４は、放電度に、約５０から約１５０マイクロクーロンの電荷を標的組織へ送達するのに十分な電流Ｉ０のパルスを送達する。パルス幅は、約１０から約２００マイクロ秒、望ましくは約５０マイクロ秒であってもよい。
【００６１】
プロセッサは、ここに論じられている様に、回路のメモリに格納されている命令を実行し、入力信号を調整し、出力信号を提供するための、任意のアナログ及び／又はデジタル回路を含んでいる。プロセッサは、ユーザー及び／又は標的によって提供された信号に応答して、トリガ事象が起こったと判断する。出力信号は、表示器を起動させる、発射機能を始動させる、展開機能を起動させる、刺激機能を始動させる、刺激機能を判定する、及び／又は刺激機能を制御する、ことができる。
【００６２】
展開／打ち込み機能は、局所スタン（打ち込み）及び／又は遠隔スタン（展開）機能のための発射機能３０２及び／又は刺激機能３０４を含んでいる。展開／打ち込み機能を実行する装置は、ここでは展開／打ち込み装置と呼ばれている。展開／打ち込み装置は、展開用ユニット（例えば、カートリッジ、射出体）の一部としてパッケージ化されていてもよい。展開／打ち込み装置は、推進部（４０５、６０５）を含むことができ、更に、上に論じられている推し出される物体（例えば、電極（４０６、６１０）又は射出体（６００））を含むことができる。展開／打ち込み装置は、プロセッサと、刺激信号生成器（例えば、射出体の一部として）を含むことができる。展開／打ち込み装置は、更に、電極（例えば、局所スタン用の端子、遠隔スタン用のワイヤ連結式電極、遠隔スタン用の展開電極を有する展開される（発射される）射出体）を含むことができる。
【００６３】
展開ユニットと組み合わされた電子兵器は、プロセッサと、表示用、表示器の読み取り（例えば、検出）用、及び展開／打ち込み機能の実行用の、本発明の様々な態様による幾つかの回路を含むことができる。表示器は、表示を読み取る（例えば、検出する）ための第１の回路を形成する電子的構成要素を用いて実施することができる。第２の回路は、展開／打ち込み機能の実行（例えば、発射、展開）を始動させることができる。第３の回路は、標的に刺激電流を流すことができる。回路同士は、構成要素を共同で所有していてもよい。回路は、順次に作動してもよいし、同時に作動してもよい。１つの回路の動作が、別の回路の動作に反応していてもよい。プロセッサは、回路の動作を調整し、始動させ、判定し、及び／又は制御することができる。プロセッサは、表示器から情報を読み取ることができる。プロセッサは、展開／打ち込み機能を実行するために電流を提供することができる。
【００６４】
例えば、図１から図７に関連して上に論じられている何れの電子兵器も、本発明の様々な態様により、検出器、表示器、及び展開／打ち込み装置を有する回路構成を含むように実施することができる。以下に３つの例を示す。本発明の様々な態様による特定の相乗作用は、展開／打ち込み機能の発動前、発動中、及び／又は発動後に、プロセッサが表示器と協働することによって実現される。プロセッサは、如何なる実践順序であってもよいがとりわけ、展開用ユニットの存在を検出し、表示器と協働して属性を検出し、展開用ユニットが展開／打ち込み機能の準備完了態勢にあることを判定し、トリガ事象が起こったことを判定し、属性に従って発射機能を始動させ、及び／又は、属性に従って刺激機能を始動させ、判定し、及び／又は制御することができる。３つの例のそれぞれでは、供給電圧Ｖ１とＶ２は同一の大きさを有していてもよいが、供給電圧Ｖ２は供給電圧Ｖ１（例えば、約３ボルト）より大きい（例えば、約１２ボルト）であるのが望ましい。
【００６５】
第１の例では、図８の回路構成８００は、プロセッサ８０２、センサーＳ１、抵抗器Ｒ１０、抵抗器Ｒ１２、スイッチＱ２、抵抗器Ｒ１とＲ２を備えた表示器８１４、及び展開／打ち込み装置８２０を含んでいる。表示器８１４と展開／打ち込み装置８２０は、展開用ユニット（例えば、カートリッジ、弾倉、射出体）にパッケージ化されていてもよい。表示器８１４は、射出体の基体部分及び／又は被射出部分に、部分的又は全体的にパッケージ化されていてもよい。スイッチＱ２がオフであるとき、電流Ｉ１は、抵抗器Ｒ１０、ノードＮ１、抵抗器Ｒ１２、ノードＮ２、表示器８１４、及び展開／打ち込み装置８２０を含む第１の回路に流れる。スイッチＱ２がオンであるとき、電流Ｉ２は、（インターフェース８１０が開いている場合）スイッチＱ２、ノードＮ２、抵抗器Ｒ１２、及びノードＮ１を含み、（表示器８１４と展開／打ち込み装置８２０がインターフェース８１０に連結されている場合）表示器８１４と展開／打ち込み装置８２０を更に含む第２の回路に流れる。ノードＮ１とノードＮ２の間の抵抗器Ｒ１２は、スイッチＱ２の失陥、即ち、何もインターフェース８１０に連結されていないときにＱ２が通電していること、を試験する経路を提供する。
【００６６】
プロセッサ８０２は、図８、図９、及び図１０に関連して以下に論じられている機能に加えて、プロセッサ４０３と６０７に関連して上に論じられている機能の如何なる組合せをも更に実行することができる。換言すると、発射制御部１０２、２０２の制御及び記録機能と、展開用ユニット３００及び射出体５００の記述、発射、及び刺激の機能は、少なくとも部分的には、プロセッサ８０２を用いて適切に実施することができる。
【００６７】
表示器８１４及び／又は展開／打ち込み装置８２０は、展開／打ち込み機能によって改変される電気抵抗を有している。例えば、抵抗器Ｒ２の抵抗は、抵抗器Ｒ１が不変のままであるのに対し、発射の帰結（例えば、推進部の力がＲ２を破壊によって開く、推進部の熱がＲ２に損傷を与える）として改変されることになる。展開／打ち込み装置８２０の抵抗は、抵抗器Ｒ１とＲ２の並列抵抗への影響が相対的に小さくなるように、相対的に高くされていてもよい。Ｒ２の抵抗の改変は、抵抗器Ｒ２を、展開／打ち込み装置８２０からのエネルギーの放出による影響を受ける位置に置くことによって実現される。抵抗器Ｒ１は、エネルギーの放出の範囲外（例えば、遮蔽材の裏）に置くことができる。改変と防護は、エネルギーの放出による影響を受けないために適した材料の抵抗器Ｒ１と、エネルギー放出による影響を受けるのに適した材料のＲ２、それぞれを採用することによって達成されてもよい。
【００６８】
作動時、スイッチＱ２がオフであるとき、電流Ｉ１が、抵抗器Ｒ１０と抵抗器Ｒ１２を通ってインターフェース８１０へソースされる。ノードＮ１の電圧が、ノードＮ３で接地されている回路に対して、センサーＳ１によって感知される。ノードＮ１の電圧は、第１のレッグの抵抗器Ｒ１０とＲ１２及び第２のレッグのインターフェース８１０を横断する抵抗を有する電圧除算器の結果である。センサーＳ１は、アナログ出力をプロセッサ８０２に提供する。センサーＳ１の出力は、インターフェース８１０に回路が一切連結されていない（例えば、Ｉ１がゼロである）こと、インターフェース８１０に電気的に連結されている未改変の表示器と未改変の展開／打ち込み装置が存在すること、及びインターフェース８１０に改変された表示器及び／又は改変された展開／打ち込み装置が存在すること、を示す。スイッチＱ２がオンになると、電流Ｉ２が（電流Ｉ１の場合と同じ導体でインターフェース８１０を通して）提供され、展開／打ち込み機能を起動させると、その結果、表示器８１４及び／又は展開／打ち込み装置８２０が改変される。その後、スイッチＱ２がオフになると、センサーＳ１の出力は、展開／打ち込み機能が表示器８１４及び／又は展開／打ち込み装置８２０を改変したことを示す。
【００６９】
回路構成８００の受動部分（即ち、インターフェース８１０の負荷側）は、並列になった３つの経路を有している。第１の経路は、抵抗器Ｒ１を含んでいる。第２の経路は、展開／打ち込み装置８２０を含んでいる。第３の経路は、抵抗器Ｒ２を含んでいる。これらの３つの経路は、ノードＮ２を共同で所有している。回路構成８００の受動部分がインターフェース８１０から切り離されても、当該３つの経路は、ノードを共同で所有し続けることになる。
【００７０】
第２の例では、図９の回路構成９００は、プロセッサ８０２、センサーＳ１、抵抗器Ｒ１０、ノードＮ１、抵抗器Ｒ１２、ノードＮ２、スイッチＱ３、抵抗器Ｒ３とＲ４を備えた表示器９１４、及び展開／打ち込み装置９２０を含んでいる。表示器９１４と展開／打ち込み装置９２０は、展開用ユニット（例えば、カートリッジ、弾倉、射出体）にパッケージ化されていてもよい。表示器９１４は、射出体の基体部分及び／又は被射出部分に全体的又は部分的にパッケージ化されていてもよい。センサーＳ１、抵抗器Ｒ１０、ノードＮ１、抵抗器Ｒ１２、及びノードＮ２は、ノードＮ１（ノードＮ２に加えて）がインターフェース９１０を通じて導体上で利用可能であること以外、上に論じられている様にプロセッサ８０２で作動する。スイッチＱ３がオフであるとき、電流Ｉ３は、抵抗器Ｒ１０、ノードＮ１、抵抗器Ｒ１２、ノードＮ２、表示器９１４、及び展開／打ち込み装置８２０を含む、分岐している第１の回路に流れる。スイッチＱ３がオンであり、何もインターフェース９１０に連結されていないとき、電流Ｉ４は、スイッチＱ３、ノードＮ２、抵抗器Ｒ１２、及びノードＮ１を含む第２の回路に流れる。スイッチＱ３がオンであり、表示器９１４と展開／打ち込み装置９２０がインターフェース９１０に連結されているとき、電流Ｉ４の大部分は、展開／打ち込み装置９２０を通って流れ、展開／打ち込み機能を起動させる。
【００７１】
表示器９１４及び／又は展開／打ち込み装置９２０は、展開／打ち込み機能によって改変される電気抵抗を有している。例えば、抵抗器Ｒ４の抵抗は、抵抗器Ｒ３が不変のままであるのに対し、発射の帰結（例えば、推進部の力がＲ４を破壊によって開く、推進部の熱がＲ４に損傷を与える）として改変されることになる。展開／打ち込み機能に先立ち、装置８２０の抵抗は、抵抗器Ｒ４の直列抵抗に影響しないように、相対的に低くされていてもよい。抵抗器Ｒ４は、展開／打ち込み機能が電流Ｉ３に反応して始動するのを避けるために、電流Ｉ３の、展開／打ち込み装置９２０を通過する部分を制限することができる。抵抗器Ｒ３の抵抗の維持と抵抗器Ｒ４の抵抗の改変は、抵抗器Ｒ１及びＲ２に関連して上に論じられている様に実現させることができる。
【００７２】
作動時、スイッチＱ３がオフであるとき、電流Ｉ３が、抵抗器Ｒ１０とインターフェース９１０を通ってソースされる。ノードＮ１の電圧が、ノードＮ３で接地されている回路に対してセンサーＳ１によって感知される。センサーＳ１は、アナログ出力をプロセッサ８０２に提供する。センサーＳ１の出力は、インターフェース９１０に連結されている回路構成が無い（例えば、Ｉ３がゼロである）こと、インターフェース９１０に電気的に連結されている未改変の表示器と未改変の展開／打ち込み装置が存在すること、及びインターフェース９１０に改変された表示器及び／又は改変された展開／打ち込み装置が存在すること、を示す。スイッチＱ３がオンになると、電流Ｉ４が、（電流Ｉ３とは異なる導体で）インターフェース９１０を通して提供され、展開／打ち込み機能を起動させると、その結果、表示器９１４及び／又は展開／打ち込み装置９２０が改変される。その後、スイッチＱ３がオフになると、センサーＳ１の出力は、展開／打ち込み機能が表示器９１４及び／又は展開／打ち込み装置９２０を改変したことを示す。
【００７３】
回路構成９００の受動部分（即ち、インターフェース９１０の負荷側）は、３つの経路を有している。第１の経路は、抵抗器Ｒ３を含んでいる。第２の経路は、展開／打ち込み装置９２０と直列の抵抗器Ｒ４を含んでいる。第１の経路は、第２の経路と並列である。第３の経路は、展開／打ち込み装置９２０を含んでいる。第２と第３の経路は、ノードＮ２を共同で所有している。回路構成９００の受動部分がインターフェース９１０から切り離されても、第２と第３の経路は、ノードを共同で所有し続けることになる。
【００７４】
第３の例では、図１０の回路構成１０００は、プロセッサ８０２、センサーＳ１、抵抗器Ｒ１０、ノードＮ１、抵抗器Ｒ１２、ノードＮ２、３状態スイッチ（例えば、トライステートドライバ）ＤＲ１、抵抗器Ｒ５を備えた表示器１０１４、及び展開／打ち込み装置１０２０を含んでいる。表示器１０１４と展開／打ち込み装置１０２０は、展開用ユニット（例えば、カートリッジ、弾倉、射出体）にパッケージ化されていてもよい。表示器１０１４は、射出体の基体部分及び／又は被射出部分に全体的又は部分的にパッケージ化されていてもよい。ドライバＤＲ１が電流をシンクしていて、何もインターフェース１０１０に連結されていないとき、電流Ｉ５は、抵抗器Ｒ１０、ノードＮ１、抵抗器Ｒ１２、ノードＮ２、及びドライバＤＲ１を含む第１の回路に流れる。ドライバＤＲ１が電流をシンクしていて、表示器１０１４と展開／打ち込み装置１０２０がインターフェース１０１０に連結されているとき、電流Ｉ５は、抵抗器Ｒ１０、ノードＮ１、抵抗器Ｒ１２、表示器１０１４、及びドライバＤＲ１を含む、第２の分岐している回路に流れる。ドライバＤＲ１がオフであるとき、電流Ｉ６は、抵抗器Ｒ１０、ノードＮ１、抵抗器Ｒ１２、ノードＮ２、表示器１０１４、及び展開／打ち込み装置１０２０を含む、第３の分岐している回路に流れる。ドライバＤＲ１が電流をソースしているとき、電流Ｉ７は、ノードＮ２、ドライバＤＲ１、及び展開／打ち込み装置１０２０を含む第４の回路に流れる。
【００７５】
表示器１０１４及び／又は展開／打ち込み装置１０２０は、展開／打ち込み機能によって改変される電気抵抗を有している。例えば、抵抗器Ｒ５の抵抗は、発射の帰結（例えば、推進部の力がＲ５を破壊によって開く、推進部の熱がＲ２に損傷を与える）として改変されることになる。展開／打ち込み機能に先立ち、装置１０２０の抵抗は、抵抗器Ｒ５の直列抵抗に影響を与えないように相対的に低くされていてもよい。抵抗器Ｒ５は、展開／打ち込み機能が電流Ｉ６に反応して始動するのを避けるために、電流Ｉ６を制限することができる。抵抗器Ｒ５の抵抗の改変は、抵抗器Ｒ２に関連して上に論じられている様に実現させることができる。
【００７６】
作動時、ドライバＤＲ１が電流をシンクしているとき、電流Ｉ５が、抵抗器Ｒ１０を通ってインターフェース１０１０へソースされる。ノードＮ１の電圧が、ノードＮ３で接地されている回路に対してセンサーＳ１によって感知される。センサーＳ１は、アナログ出力をプロセッサ８０２に提供する。センサーＳ１の出力は、インターフェース１０１０に連結されている回路構成が無い（例えば、Ｉ５がゼロである）こと、インターフェース１０１０に電気的に連結されている未改変の表示器１０１４が存在すること、及びインターフェース１０１０に改変された表示器１０１４が存在すること、を示す。ドライバＤＲ１がオフであるとき、電流Ｉ６が、抵抗器Ｒ１０を通ってインターフェース１０１０にソースされる。ノードＮ１の電圧が、センサーＳ１によって感知される。センサーＳ１は、アナログ出力をプロセッサ８０２に提供する。センサーＳ１の出力は、インターフェース１０１０に連結されている回路が無い（例えば、Ｉ６がゼロである）こと、インターフェース１０１０に電気的に連結されている未改変の表示器１０１４及び／又は未改変の展開／打ち込み装置１０２０が存在すること、及びインターフェース１０１０に改変された表示器及び／又は改変された展開／打ち込み装置１０２０が存在すること、を示す。ドライバＤＲ１が電流をソースしているとき、インターフェース１０１０を通して提供される電流Ｉ７は、展開／打ち込み機能を起動させ、その結果、表示器１０１４及び／又は展開／打ち込み装置１０２０が改変される。その後、ドライバＤＲ１が電流をシンクすると、センサーＳ１の出力は、展開／打ち込み機能が表示器１０１４を改変したことを示し、ドライバＤＲ１がオフになると、センサーＳ１の出力は、表示器１０１４及び／又は展開／打ち込み装置１０２０が改変されたことを示す。
【００７７】
回路構成１０００の受動部分（即ち、インターフェース１０１０の負荷側）は、２つの経路を有している。第１の経路は、抵抗器Ｒ５を含んでいる。第２の経路は、展開／打ち込み装置１０２０を含んでいる。第１と第２の経路は、ノードＮ２を共同で所有している。回路構成１０００の受動部分がインターフェース１０１０から切り離されても、第１と第２の経路は、ノードを共同で所有し続けることになる。
【００７８】
本発明の様々な態様による回路構成の３つの例の能力の比較が表１に提示されている。表１で比較されている回路では、展開／打ち込み装置８２０、９２０、及び１０２０は、展開前には有限の抵抗を有しており、当該抵抗は展開後に改変されている。説明の都合上、展開／打ち込み装置の改変後の状態を「開」と呼ぶ。比較されている実施例では、抵抗器Ｒ１、Ｒ４、及びＲ５は、展開によって改変されないのに対し、抵抗器Ｒ２とＲ４は展開によって改変される。説明の都合上、抵抗器の改変後の状態を「開」と呼ぶ。表１に比較されている回路では、展開によって、表示器と展開／打ち込み装置がインターフェースから切り離されることはない。展開／打ち込み装置８２０の抵抗（高、中、低）は、それぞれ、使用済み、使用不可、又は準備完了態勢を示す。条件を分類するための比較に適した閾値電圧には、下付き文字Ｔを付けている。
【００７９】
【表１】
2012502240.tif 000003
【００８０】
図８、図９、又は図１０の各図の回路構成は、展開ユニットにパッケージ化されていてもよい。
図８、図９、又は図１０の各図の回路構成は、電子兵器と展開ユニットの間で分割されていてもよく、その場合、インターフェース１２０、２２０、５２０、又は６２０は、インターフェース８１０、９１０、又は１０１０に実施される。
【００８１】
射出体の被射出部分の刺激信号生成器が、射出体の送受信器を介した無線制御に反応して刺激信号を繰り返しアクティブにする（例えば、３０秒パルス周期）状況に曝されているとき（全体的に図６参照）は、当初に射出体を発射させた発射デバイスでは、全てのアクティブ化の要約記録が利用できるとは限らないかもしれず、というのも、少なくとも、刺激を再度アクティブにする（例えば、第２又は第３の３０秒サイクルを続行）というコマンドの幾つかは、別の送受信器（図示せず）から出ている場合があるからである。その様な場合に、射出体の被射出部分の表示器は、完全な要約を提供することができる。表示器は、被射出部分の刺激信号生成器による影響を受ける。表示器は、刺激信号生成器の起動及び再起動の都度、影響を受ける。要約は、被射出部分（例えば、表示器、又は表示器の値を検出するプロセッサ）に保持されてもよい。要約は、射出体の被射出部分から送信されてもよい（例えば、表示器をプロセッサ又は射出体の被射出部分の送受信器に連系する）。
【００８２】
本明細書及び特許請求の範囲に使用されている「回路」という用語は、良く知られているキルヒホッフの電圧法則によって定義される。キルヒホッフの法則は、閉回路では電圧の和はゼロであると定義している。開回路、又は閉回路の一部であって、ここでは経路又は分岐とも呼ばれている部分は、閉回路の一部と定義されている。並列回路（分岐）を従来の分析により等価経路に縮小すれば、分岐を含まない回路又は経路に行き着くことができる。換言すると、特許請求されている経路又は回路の実施において、並列の構成要素を用いて経路又は回路を実施するということは、当該並列の構成要素を、経路又は回路の総電流の関数又は大きさを変えること無く、等価の構成要素に縮小させることができる場合には、特許請求されている経路又は回路を実施していることになる。
【００８３】
電気回路の一部は、それが、スイッチ類（例えば、トランジスタ、増幅器、デジタル論理回路）とは対照的に受動的な電気的構成要素（例えば、抵抗器、コンデンサ、誘電子）で構成されている場合は、「受動」である。展開用ユニットの電気回路（又は経路）は、ここで使用されている場合、それが発射制御部又は電子兵器から作動電力（例えば、電流）を受け取っている場合には、同様に受動であると見なされる。
【００８４】
以上の説明は、本発明の好適な実施形態を論じており、実施形態には、特許請求の範囲に定義される本発明の範囲から逸脱すること無く、変更又は修正を加えることができる。説明を明確にするために、本発明の幾つかの特定の実施形態を説明してきたが、本発明の範囲は、以下に記載されている特許請求の範囲により判定されるものとする。
【符号の説明】
【００８５】
１００  電子兵器
１０２  発射制御部
１０４  展開用ユニット
１０５  検出器
１０６  表示器
１１０  記録器
１２０  インターフェース
２００  電子兵器
２０２  発射制御部
２０４  弾倉
２０５  展開材料の複数のセット（カートリッジ）
２０６、２０８  カートリッジ
２１０  表示器
２１２  検出器
２１４  記録器
２２０  インターフェース
３００  カートリッジ
３０２  発射機能
３０４  刺激機能
３０６  記述機能
３１０  インターフェース
４００  電子兵器
４０１  発射制御部
４０２  カートリッジ
４０３  プロセッサ
４０４  刺激信号生成器
４０５  推進部
４０６  電極
４０８  表示器
４１０  インターフェース
５００  射出体
５０２  基体部分
５０４  被射出部分
５０６  発射機能
５０７、５０８  記述機能
５１０  刺激機能
５２０  インターフェース
６００  射出体
６０２  基体部分
６０４  被射出部分
６０５  推進部
６０６  表示器
６０７  プロセッサ
６０８  刺激信号生成器
６１０  電極
６１２  表示器
６２０、６２１  インターフェース
６２２、６２４  送受信器
７００  刺激信号生成器
７０４  充電回路
８００、９００、１０００  回路構成
８０２  プロセッサ
８１０、９１０、１０１０  インターフェース
８１４、９１４、１０１４  表示器
８２０、９２０、１０２０  展開／打ち込み装置
Ｃ  コンデンサ
ＤＲ  ドライバ
Ｉ  電流
Ｎ  ノード
Ｑ  スイッチ
Ｒ  抵抗器
Ｓ  センサー
Ｔ  変圧器
Ｖ  電圧
【図１】
2012502240.tif 000004
【図２】
2012502240.tif 000005
【図３】
2012502240.tif 000006
【図４】
2012502240.tif 000007
【図５】
2012502240.tif 000008
【図６】
2012502240.tif 000009
【図７】
2012502240.tif 000010
【図８】
2012502240.tif 000011
【図９】
2012502240.tif 000012
【図１０】
2012502240.tif 000013
【手続補正書】
【提出日】平成23年9月16日(2011.9.16)
【手続補正１】
【補正対象書類名】特許請求の範囲
【補正対象項目名】請求項１
【補正方法】変更
【補正の内容】
【請求項１】
電子兵器に電気的に連結されたときに、前記電子兵器と共に使用する展開用ユニットであって、前記電子兵器は、ヒト又は動物の標的に骨格筋の収縮を引き起こし、前記展開用ユニットは、
少なくとも２つの電極と、
表示器と、
前記標的の骨格筋の収縮を引き起こすことによって前記標的の活動能力を奪う刺激電流を、前記標的を通して供給できるように前記電極を展開するための推進部と
を備え、
前記表示器は、前記電子兵器に、前記推進部が作動する前の前記展開用ユニットの第１の属性の表示と、前記推進部が作動した後の前記展開用ユニットの第２の属性の表示とを示し、
前記表示器は、前記推進部が作動されることによって、前記第２の属性を提供するように変更される、ユニット。
【手続補正２】
【補正対象書類名】特許請求の範囲
【補正対象項目名】請求項３
【補正方法】変更
【補正の内容】
【請求項３】
電子兵器に電気的に連結されたときに、前記電子兵器と共に使用する展開用ユニットであって、前記電子兵器は、ヒト又は動物の標的に骨格筋の収縮を引き起こし、前記展開用ユニットは、
少なくとも２つの電極と、
並列に連結された少なくとも２つの抵抗器を備える表示器と、
前記標的の骨格筋の収縮を引き起こすことによって前記標的の活動能力を奪う刺激電流を、前記標的を通して供給できるように前記電極に連結されている刺激信号生成器と
を備え、
前記表示器は、前記電子兵器に、前記刺激信号生成器が作動する前の前記展開用ユニットの第１の属性の表示と、前記刺激信号生成器が作動した後の前記展開用ユニットの第２の属性の表示とを示す、展開用ユニット。
【手続補正３】
【補正対象書類名】明細書
【補正対象項目名】００２１
【補正方法】変更
【補正の内容】
【００２１】
本発明の実施形態を、図面を参照しながら詳しく説明してゆくが、図中、同様の記号表示は同様の要素を表している。
例えば、本発明は以下の項目を提供する。
（項目１）
ヒト又は動物の標的に骨格筋収縮を引き起こすための電子兵器と共に、上記電子兵器に電気的に連結させて、使用するための展開用ユニットであって、
少なくとも２つの電極と、
表示器と、
上記標的の骨格筋の収縮を引き起こすことによって上記標的の活動能力を奪う刺激電流を上記標的を通して供給できるように上記電極を展開するための推進部と、を備えており、
上記表示器は、上記電子兵器に、上記推進部が作動する前の上記展開用ユニットの第１の属性の表示と、上記推進部が作動した後の上記展開用ユニットの第２の属性の表示を示す、展開用ユニット。
（項目３）
ヒト又は動物の標的に骨格筋収縮を引き起こすための電子兵器と共に、上記電子兵器に電気的に連結させて、使用するための展開用ユニットであって、
少なくとも２つの電極と、
表示器と、
上記標的の骨格筋の収縮を引き起こすことによって上記標的の活動能力を奪う刺激電流を上記標的を通して供給できるように電極に連結されている刺激信号生成器と、を備えており、
上記表示器は、上記電子兵器に、刺激信号生成器が作動する前の上記展開用ユニットの第１の属性の表示と、上記刺激信号生成器が作動した後の上記展開用ユニットの第２の属性の表示を示す、展開用ユニット。
【国際調査報告】
2012502240.tif 000014
2012502240.tif 000015
2012502240.tif 000016